(57)【要約】【課題】  ゲーム機のディスプレイスクリーン装置の提供。【解決手段】  ゲーム機中の薄型のディスプレイスクリーン、例えばＬＣＤスクリーンが、連結装置で機台中に組付けられ、ゲーム機の開閉可能なドアには組付けられず、これにより、ディスプレイスクリーンにドアの開閉の振動により形成される損壊を防止する。また、連結装置が枢結機構を具え、ゲーム機のドアが開放された後、この枢結機構により薄型スクリーンを回転させて移動させることができ、薄型スクリーンの後方の回路の修理に便利である。また、連結装置の枢結機構中に移動可能な回転軸が設けられ、これによりスクリーンを取り外して交換でき、並びに新たに組み付ける施工操作に便利である。【選択図】        図４
0003109416.tif 000002
【実用新案登録請求の範囲】
【請求項１】
内部に必要な回路を具えたゲーム機本体と、該ゲーム機本体の正面にあって開閉可能なドアとを具えたゲーム機に取り付けられるゲーム機のディスプレイスクリーン装置において、
該ディスプレイスクリーン装置は連結装置でゲーム機本体内に取り付けられる薄型スクリーンを具え、該連結装置が枢結構造を具え、薄型スクリーンが、上記ドアの開放後に、該枢結構造によりゲーム機本体外に向けて回転可能とされ、薄型スクリーン後方の回路の修理に便利とされたことを特徴とする、ゲーム機のディスプレイスクリーン装置。
【請求項２】
請求項１記載のゲーム機のディスプレイスクリーン装置において、ディスプレイスクリーン装置は、
ゲーム機本体内に水平に組付けられる水平ベースと、
該水平ベースの上表面に垂直に組付けられてそれぞれが軸孔を具えた一対の孔座と、
背面下端両側に回転軸座が設けられて各回転軸座に外向きに突出するように組み合わされた回転軸が上述の孔座の軸孔内に枢結されるスクリーンフレームと、
上述のスクリーンフレームの前に組み合わされる薄型スクリーンと、
該薄型スクリーンの両側に設置されて底辺に水平凸縁と傾斜凸縁が形成された一対の位置決め側翼と、
を具え、
上述のスクリーンフレームと薄型スクリーンが回転軸を中心として回転して位置決め側翼の水平凸縁と水平ベースが接触する時、組付け位置に位置し、上述のスクリーンフレームと薄型スクリーンが回転軸を中心としてゲーム機本体外に向けて回転して位置決め側翼の傾斜凸縁と水平ベースの前端が接触する時、薄型スクリーンの後方に対する修理が行なえることを特徴とする、ゲーム機のディスプレイスクリーン装置。
【請求項３】
請求項２記載のゲーム機のディスプレイスクリーン装置において、スクリーンフレームの回転軸座の少なくとも一方の回転軸座に組み合わされた回転軸が移動可能とされ、スクリーンフレームの水平ベースとの組合せと分離が容易でスクリーンの交換に便利であることを特徴とする、ゲーム機のディスプレイスクリーン装置。
【請求項４】
請求項３記載のゲーム機のディスプレイスクリーン装置において、移動可能な回転軸がバネにより付勢されて移動可能とされたことを特徴とする、ゲーム機のディスプレイスクリーン装置。
【請求項５】
請求項２記載のゲーム機のディスプレイスクリーン装置において、水平ベースの両側前端が下向きに折り曲げられてストッパ片が形成されて、位置決め側翼の傾斜凸縁とストッパ片の接触により修理位置が形成されることを特徴とする、ゲーム機のディスプレイスクリーン装置。
【考案の詳細な説明】
【技術分野】
【０００１】
本考案は一種のゲーム機のディスプレイスクリーン装置に係り、特に、ＬＣＤのような薄型パネルを表示スクリーンとする業務用ゲーム機を指し、並びに連結装置を利用して薄型スクリーンの機台内への取り付け、取り外しを容易に行なえ、並びにディスプレイスクリーンのゲーム機のドアの開閉の振動による損壊を減らせ、且つ機台の修理に便利な構造に関する。
【背景技術】
【０００２】
業務用ゲーム機が提供する娯楽効果は、広く歓迎されている。一般に業務用ゲーム機はゲーム内容を表示するためのディスプレイスクリーンを具備していなければならない。液晶ディスプレイスクリーンはその急速な発展により、既に広くゲーム機に応用されている。その最大の長所は、全体のゲーム機の体積と厚さを大幅に縮減でき、ゲームセンターに置けるゲーム機数量を増せることにある。
【０００３】
伝統的な液晶ディスプレイスクリーンを具えたゲーム機は、そのディスプレイスクリーンがゲーム機のドアに取り付けられ、修理時にドアを開けば後方の回路構造に対して修理を行なえる。しかし、このような周知のゲーム機はドアを開放して修理を完成した時に、通常、相当に大きな力でドアを閉めなければならない。このような大きな力でドアを閉じる動作は液晶ディスプレイスクリーンに対して相当に大きな振動を形成し、高価な液晶ディスプレイスクリーンを損壊させやすい。このため、この欠点を改善する必要がある。
【０００４】
また、伝統的なゲーム機中のスクリーンはドアに固定されており、その組付け作業は比較的困難である。特に組付け完成後に、意外な損壊が発生したりスクリーンのグレードアップを行なったりする場合にスクリーンを交換する時、その取り外しと新しいスクリーンへの交換の作業が困難である。これは周知のゲーム機のスクリーン装置のもう一つの重大な問題である。
【考案の開示】
【考案が解決しようとする課題】
【０００５】
本考案は一種のゲーム機のディスプレイスクリーン装置を提供することを目的とし、それは、連結装置を利用して薄型スクリーンのゲーム機内への取り付け、取り外しを容易に行なえ、並びにディスプレイスクリーンのゲーム機のドアの開閉の振動による損壊を減らせ、且つゲーム機の修理に便利な構造を有するものとする。
【課題を解決するための手段】
【０００６】
請求項１の考案は、内部に必要な回路を具えたゲーム機本体と、該ゲーム機本体の正面にあって開閉可能なドアとを具えたゲーム機に取り付けられるゲーム機のディスプレイスクリーン装置において、
該ディスプレイスクリーン装置は連結装置でゲーム機本体内に取り付けられる薄型スクリーンを具え、該連結装置が枢結構造を具え、薄型スクリーンが、上記ドアの開放後に、該枢結構造によりゲーム機本体外に向けて回転可能とされ、薄型スクリーン後方の回路の修理に便利とされたことを特徴とする、ゲーム機のディスプレイスクリーン装置としている。
請求項２の考案は、請求項１記載のゲーム機のディスプレイスクリーン装置において、ディスプレイスクリーン装置は、
ゲーム機本体内に水平に組付けられる水平ベースと、
該水平ベースの上表面に垂直に組付けられてそれぞれが軸孔を具えた一対の孔座と、
背面下端両側に回転軸座が設けられて各回転軸座に外向きに突出するように組み合わされた回転軸が上述の孔座の軸孔内に枢結されるスクリーンフレームと、
上述のスクリーンフレームの前に組み合わされる薄型スクリーンと、
該薄型スクリーンの両側に設置されて底辺に水平凸縁と傾斜凸縁が形成された一対の位置決め側翼と、
を具え、
上述のスクリーンフレームと薄型スクリーンが回転軸を中心として回転して位置決め側翼の水平凸縁と水平ベースが接触する時、組付け位置に位置し、上述のスクリーンフレームと薄型スクリーンが回転軸を中心としてゲーム機本体外に向けて回転して位置決め側翼の傾斜凸縁と水平ベースの前端が接触する時、薄型スクリーンの後方に対する修理が行なえることを特徴とする、ゲーム機のディスプレイスクリーン装置としている。
請求項３の考案は、請求項２記載のゲーム機のディスプレイスクリーン装置において、スクリーンフレームの回転軸座の少なくとも一方の回転軸座に組み合わされた回転軸が移動可能とされ、スクリーンフレームの水平ベースとの組合せと分離が容易でスクリーンの交換に便利であることを特徴とする、ゲーム機のディスプレイスクリーン装置としている。
請求項４の考案は、請求項３記載のゲーム機のディスプレイスクリーン装置において、移動可能な回転軸がバネにより付勢されて移動可能とされたことを特徴とする、ゲーム機のディスプレイスクリーン装置としている。
請求項５の考案は、請求項２記載のゲーム機のディスプレイスクリーン装置において、水平ベースの両側前端が下向きに折り曲げられてストッパ片が形成されて、位置決め側翼の傾斜凸縁とストッパ片の接触により修理位置が形成されることを特徴とする、ゲーム機のディスプレイスクリーン装置としている。
【考案の効果】
【０００７】
本考案の提供するゲーム機のディスプレイスクリーン装置は、スクリーンがゲーム機本体内に組付けられて良好な保護を得ることができ、且つスクリーンをゲーム機本体に対して外向きに回転させて、回路の修理を行なうことができ、ゆえにその使用寿命は自然に周知の技術よりも延長される。また、移動可能な回転軸の設計によりスクリーンの修理及び交換のいずれもが十分に容易で迅速に行なえるものとされている。
【考案を実施するための最良の形態】
【０００８】
本考案は周知の液晶スクリーンがゲーム機のドアに取り付けられているために損壊しやすいという欠点に対して、新たに設計されたゲーム機のディスプレイスクリーン装置を提供する。
【０００９】
薄型スクリーンを連結装置でゲーム機中に組付け、ゲーム機のドアに組付けず、これにより、ディスプレイスクリーンにドアの開閉の振動により形成される損壊を減らす。
【００１０】
本考案の更に重要な機能は、該連結装置が枢結機能を具備し、これによりゲーム機のドアを開放後に、この枢結機構を利用して薄型スクリーンを回転移動させることができ、薄型スクリーンの後方の回路の修理に便利とされることである。
【００１１】
本考案の提供する連結装置は、水平にゲーム機内に組付けられて一対の孔座を具えたベースと、該ベースに設けられた一対の孔座と、スクリーンフレームとを具え、該スクリーンフレームの前方に薄型スクリーンが組付けられ、並びに背面下方に一対の回転軸座が設けられ、該回転軸座に外向きに突出するように組み合わされた回転軸がベースの孔座の軸孔中に挿入され、これにより薄型スクリーンが回転軸を中心として回転可能とされる。そのうち一つの回転軸はバネに付勢された移動可能な移動回転軸に設計され、もう一方の回転軸は固定回転軸に設計される。これにより、スクリーンの交換が十分に容易である。スクリーンの損壊或いはスクリーンのグレードアップのために交換が必要である時は、作業者は移動回転軸を移動させて、それを孔座の軸孔より離脱させれば、スクリーンフレームとスクリーンをゲーム機より取り外すことができる。組付け時には、新しいスクリーンをスクリーンフレームに固定した後、移動回転軸を利用すれば交換施工が完成する。
【００１２】
本考案の薄型スクリーンの両側には位置決め翼片が設けられ、位置決め翼片の底辺の水平凸縁及び傾斜凸縁を利用し、薄型スクリーンを選択的に組付け位置或いは修理位置に位置づけることができる。これにより、回転機能が達成されて、薄型スクリーンを回転させて修理位置としてスクリーン後方の回路の修理を行なうことができる。
【００１３】
本考案のディスプレイスクリーン装置は水平なベース、孔座、スクリーンフレーム及びスクリーンで構成され、その全体の組付け方式は周知の技術よりも遥かに簡単で迅速であり、生産時間を短縮することができる。
【実施例１】
【００１４】
図１から図３に示されるように、本考案のゲーム機１はゲーム機本体１０及び開閉可能なドア２０を具えている。そのうち、図１ではドア２０はゲーム機本体１０の正面において閉じられ、図２ではドア２０は開放されている。
【００１５】
ゲーム機本体１０内部には必要な回路及びディスプレイスクリーン装置３０が設けられている。ディスプレイスクリーン装置３０はドア２０には設置されず、連結装置でゲーム機本体１０内に組付けられているが、ドア２０の上方のディスプレイ孔２１よりディスプレイスクリーンが見える。
【００１６】
このような設計により、ドア２０が修理時に開閉されても、薄型スクリーン、例えばＬＣＤパネルに対して大きな振動を発生することがなく、薄型スクリーンの損壊を減らすことができる。
【００１７】
図３に示されるように、ディスプレイスクリーン装置３０の後方には回路４０があり、これにより、この後方の回路４０を修理するためには連結装置に対して回転可能な設計を設ける必要がある。
【００１８】
図４から図６に示されるように、本考案のディスプレイスクリーン装置３０は水平にゲーム機本体１０内に組付けられる水平ベース３１を具え、該水平ベース３１の上表面に垂直に一対の孔座３２が設けられ、各孔座３２に軸孔３２１が設けられ、水平ベース３１の両側前端に下向きにストッパ片３１１が形成されている。
【００１９】
ディスプレイスクリーン装置３０はスクリーンフレーム３３を更に具え、該スクリーンフレーム３３の前方に薄型スクリーン３４が組み合わされている。図６に示されるように、スクリーンフレーム３３の背面下方に一対の回転軸座３３１が設けられ、該回転軸座３３１に回転軸３３２が挿入され、該回転軸３３２の回転軸座３３１より外向きに突出した部分が水平ベース３１の上に固定された孔座３２の軸孔３２１中に挿入され、これにより薄型スクリーン３４が回転軸３３２を中心に回転可能とされる。このほか、スクリーンフレーム３３の底端に、スクリーンフレーム３３に対して垂直に折れ曲がった支持板３３４が設けられて該支持板３３４が薄型スクリーン３４の底端を支持する。
【００２０】
図７及び図８を参照されたい。スクリーンフレーム３３の後方の回転軸座３３１Ａ及び３３１Ｂのうち、右側の回転軸座３３１Ａはバネ３３３で付勢されて移動可能な回転軸３３２Ａとされ、この回転軸３３２Ａは図７中の矢印方向に回転軸座３３１Ａ内に向けて圧縮可能である。それと反対側の左側に位置する回転軸座３３１Ｂの回転軸３３２Ｂは固定回転軸とされる。この設計により、全体の連結装置を組付けて枢結機構を形成するのに便利とされている。また、そのうち移動可能な回転軸３３２Ａにより、薄型スクリーン３４の損壊或いはグレードアップのために交換が必要である時、作業者は移動可能な回転軸３３２Ａを移動させて、それを孔座３２の軸孔３２１より離脱させれば、交換が行なえ、操作が十分に簡単で迅速である。
【００２１】
再び図４から図６を参照されたい。薄型スクリーン３４の両側にはそれぞれ位置決め側翼３５が組み合わされる。該位置決め側翼３５の底辺に水平凸縁３５１と傾斜凸縁３５２が設けられている。並びに位置決め側翼３５の前端に係止片３５３が設けられ、該係止片３５３は薄型スクリーン３４の両側端を係止し、薄型スクリーン３４とスクリーンフレーム３３がこれにより一体に組み合わされる。
【００２２】
そのうち、水平凸縁３５１と水平ベース３１が接触する時、薄型スクリーン３４はゲーム機本体１０内に制限されて組付け位置にちょうど位置する。これについては、図９及び図３の実線部分、及び図５を参照されたい。
【００２３】
薄型スクリーン３４が回転軸３３２を中心として回転した後、位置決め側翼３５の傾斜凸縁３５２と水平ベース３１のストッパ片３１１が接触する時、図１０及び図３の点線位置に示されるように、薄型スクリーン３４がゲーム機本体１０に対して外向きに回転させられ、これにより薄型スクリーン３４の後方の回路４０に対する修理を行なうことができる。これについては図６も参照されたい。
【図面の簡単な説明】
【００２４】
【図１】本考案のゲーム機の全体外観図である。
【図２】図１のゲーム機のドアが開放された状態の外観図である。
【図３】本考案のゲーム機のディスプレイスクリーン装置がゲーム機本体内に組み合わされた表示図である。
【図４】本考案のゲーム機のディスプレイスクリーン装置の立体分解図である。
【図５】図４の組合せ図であり、薄型スクリーンは組付け位置に位置している。
【図６】図４の別角度の組合せ図であり、薄型スクリーンは回転させられ修理位置に位置している。
【図７】本考案のゲーム機のディスプレイスクリーン装置のスクリーンフレームの背面図である。
【図８】本考案のゲーム機のディスプレイスクリーン装置の平面図であり、回転軸と孔座の結合を示している。
【図９】本考案のゲーム機のディスプレイスクリーン装置の側面図であり、薄型スクリーンは組付け位置に位置している。
【図１０】本考案のゲーム機のディスプレイスクリーン装置の側面図であり、薄型スクリーンは修理位置に位置している。
【符号の説明】
【００２５】
１  ゲーム機
１０  ゲーム機本体
２０  ドア
２１  ディスプレイ孔
３０  ディスプレイスクリーン装置
４０  回路
３１  水平ベース
３１１  ストッパ片
３２  孔座
３２１  軸孔
３３  スクリーンフレーム
３３１  回転軸座
３３２  回転軸
３３３  バネ
３３４  支持片
３４  薄型スクリーン
３５  位置決め側翼
３５１  水平凸縁
３５２  傾斜凸縁
３５３  係止片
【図１】
0003109416.tif 000003
【図２】
0003109416.tif 000004
【図３】
0003109416.tif 000005
【図４】
0003109416.tif 000006
【図５】
0003109416.tif 000007
【図６】
0003109416.tif 000008
【図７】
0003109416.tif 000009
【図８】
0003109416.tif 000010
【図９】
0003109416.tif 000011
【図１０】
0003109416.tif 000012